(57)【要約】【課題】天板に備品収納スペースを設けて紙箱内の温度上昇を抑え、備品を備品収納スペースに容易に収納出来る組立て紙箱を提供する。【解決手段】紙箱Ａの底板の一端縁に前側板２を設け、前側板２の外端縁に内側天板３を設け、他端縁に後側板を設け、後側板の外端縁に開閉天板１５を設け、開閉天板１５の三方の各端縁に前縁片１６及び左右縁片１８を設け、後側板を折り上げて底板の端縁に立設し、開閉天板１５の三方の前縁片１６及び左右縁片１８を折り込んで開閉天板１５の三方に周縁壁２３を設け、前側板２を折り上げて底板の端縁に立設し、前側板２の内側天板３を底板側に折り込んで載置し、後側板の開閉天板１５を内側天板３の上に折り込み、内側天板３の周縁に開閉天板１５の周縁壁２３を被せ、内側天板３と開閉天板１５との間に備品収納スペースを設けた。【選択図】図１
2007186218.tif 000002
【特許請求の範囲】
【請求項１】
開閉天板、各側板及び各折り込み片を夫々の折り目により折り込んで形成した直方体形状の組立て紙箱において、
当該紙箱の四角形状の底板の一方の相対向する各端縁の一端縁に折り目を介して前側板を設け、当該前側板の外端縁に折り目を介して内側天板を設け、上記底板の当該相対向する各端縁の他端縁に折り目を介して後側板を設け、当該後側板の外端縁に折り目を介して開閉天板を設け、当該開閉天板の三方の各端縁に折り目を介して前縁片及び左右縁片を夫々設け、
上記底板の他方の相対向する各端縁に折り目を介して左右側板を夫々設け、当該左右側板の各外端縁に折り目を介して折り込み片を夫々設け、
当該左右側板を各折り目により折り上げて上記底板の各端縁に夫々立設し、当該左右側板の各折り込み片を各折り目により上記底板側に夫々折り込み、上記後側板を折り目により折り上げて上記底板の端縁に立設し、上記開閉天板の三方の前縁片及び左右縁片を折り込んで当該開閉天板の三方に周縁壁を設け、上記前側板を折り目により折り上げて上記底板の端縁に立設し、当該前側板の内側天板を折り目により底板側に折り込んで上記左右側板の各折り込み片の上に載置し、上記後側板の開閉天板を折り目により上記内側天板の上に折り込み、当該内側天板の周縁に当該開閉天板の周縁壁を被せ、当該内側天板と開閉天板との間に備品収納スペースを設けたことを特徴とする、備品収納スペース付組立て紙箱。
【請求項２】
上記後側板の組立て時の縦の長さを前側板及び左右側板の組立て時の縦の長さより長く設けて内側天板と開閉天板との間に間隙を形成して備品収納スペースを設けたことを特徴とする、上記請求項１に記載の備品収納スペース付組立て紙箱。
【請求項３】
上記後側板の左右の各端縁に折り目を介して後側板の組立て時の縦の長さが同じ左右内側板を夫々設け、当該左右内側板の上部に上端縁に沿って折り目を設けて折り込み片を夫々形成し、上記底板の左右の各端縁に折り目を介して上記後側板と組立て時の縦の長さが同じである左右外側板を夫々設け、また、上記前側板の組立て時の縦の長さを上記左右内側板の折り込み片までの縦の長さと同じとし、
上記左右内側板を各折り目により折り上げて上記後側板の両端縁に立設させ、当該後側板を折り目により折り上げて上記底板の後端縁に立設し、同時に、上記左右内側板を当該底板の左右の各端縁付近に立設させ、
上記左右外側板を各折り目により折り上げて上記底板の左右の各端縁に夫々立設して当該左右外側板を外側にして上記左右内側板と夫々重ね、上記左右内側板の各折り込み片を折り目により夫々底板側に略水平に折り込み、
上記前側板を折り目により折り上げて上記底板の前端縁に立設し、当該前側板の内側天板を折り目により底板側に折り込んで上記左右内側板の各折り込み片の上に載置し、上記後側板の開閉天板を折り目により上記内側天板の上に折り込み、上記左右外側板の上部に当該開閉天板の周縁壁を被せ、当該内側天板と開閉天板との間に備品収納スペースを設けたことを特徴とする、上記請求項２に記載の備品収納スペース付組立て紙箱。
【請求項４】
上記内側天板に通気用の貫通孔を設けたことを特徴とする、上記請求項１、２又は３の何れかに記載の備品収納スペース付組立て紙箱。
【請求項５】
上記内側天板の外端縁に折り目を介して折り返し板を設け、当該折り返し板を外側に折り込んだ当該内側天板を底板側へ折り込んで左右側板の各折り込み片の上に載せ、当該折り返し片を折り込んだ内側天板と開閉天板との間に間隙を形成して備品収納スペースを設けたことを特徴とする、上記請求項１、２、３又は４の何れかに記載の備品収納スペース付組立て紙箱。
【請求項６】
上記左右側板と各折り込み片の間の折り目から、当該各折り込み片上に略Ｕ字状の切り込みを入れて支持片を夫々設け、又は上記前側板と内側天板の間の折り目から当該内側天板上に略Ｕ字状の切り込みを入れて支持片を設け、
上記各折り込み片を折り目により底板側に折り込んで上記支持片を折り込み片から立設させ、又は上記内側天板を折り目により底板側に折り込んで内側天板から支持片を立設させ、開閉天板を折り込んで内側天板上に被せた際、上記各支持片が当該開閉天板の内面に当接して開閉天板を支持し、上記備品収納スペースを保持することを特徴とする、上記請求項２、３、４又は５の何れかに記載の備品収納スペース付組立て紙箱。
【請求項７】
上記開閉天板の前端縁、又は前縁片を係止する係止体を前側板に設け、当該係止体によって当該開閉天板を係止して上記備品収納スペースを保持することを特徴とする、上記請求項２、３、４、５又は６の何れかに記載の備品収納スペース付組立て紙箱。
【発明の詳細な説明】
【技術分野】
【０００１】
この発明は、洋菓子店等において、菓子やその他の食品等の持ち運びに使用される組立て自在な紙箱に関するものであって、特に、当該紙箱内部の温度の上昇を防ぐ保冷体等を収納するスペースを設けた備品収納スペース付組立て紙箱に関するものである。
【背景技術】
【０００２】
従来、洋菓子店において、ケーキなどの生菓子を販売する際、持ち運びに便利な紙製の組立て紙箱（以下、単に「紙箱」と言う。）を使用している。この様な紙箱においては、気温が上がる夏場はもちろん、昨今では、冬であっても、多くの場所で暖房が充分に行われているため、生ものであるケーキ等が傷まないように、当該紙箱内に保冷体を収納するスペースを設け、当該スペースに保冷体を入れて、当該紙箱内の温度が上昇するのを防ぐようにしている。
【０００３】
この様な紙箱として、底板の前端縁に折り目を介して前壁を設け、この前壁の前端縁に折り目を介して折り返しフラップを設け、当該紙箱の組立ての際、当該折り返しフラップを折り目を介して前壁上に折り込んで重ね、これらの前壁と折り返しフラップの間に保冷体を挟んで設けるという構成のものがある。また、紙箱の上蓋板の下面に、方形状のシート部材の一方向のみを開放状態とし、他の三方向の周縁を固着して、保冷体を収納する収納部を設けたものが有る。
【特許文献１】特開２００５−２０００２３号公報
【特許文献２】特開２００５−５３５３９号公報
【発明の開示】
【発明が解決しようとする課題】
【０００４】
しかしながら、上記前者の紙箱では、保冷体は、中に入れられたケーキ等の一側面に位置するため、当該位置と反対側面には、保冷体の冷気が届き難い。また、保冷体を紙箱の一側面に設けるので、冷気の移動自体も遅く効率的ではない。
また、上記後者の紙箱では、保冷体の収納部が上蓋板に固着したシート部材の一方しか開放されていないので、上蓋板の周囲に側壁等がある場合、これらの側壁等に保冷体が当たって、収納部内に入れにくく、特に、店頭における混雑時では、円滑に入れることに苦心している。また、そうかと言って、収納部を形成するシート材の開放部分を多くすると、収納された保冷体が落下し易くなり、紙箱内に載置されたケーキ等を傷つけることとなる。
【０００５】
そこで、この発明は、天板部分に保冷体等の備品を収納する備品収納スペースを設けて紙箱内の温度上昇を効率的に抑えられるようにしつつ、かつ保冷体等を備品収納スペースに容易に収納出来る組立て紙箱を提供するものである。
【課題を解決するための手段】
【０００６】
請求項１の発明は、開閉天板、各側板及び各折り込み片を夫々の折り目により折り込んで形成した直方体形状の組立て紙箱において、当該紙箱の四角形状の底板の一方の相対向する各端縁の一端縁に折り目を介して前側板を設け、当該前側板の外端縁に折り目を介して内側天板を設け、当該相対向する各端縁の他端縁に折り目を介して後側板を設け、当該後側板の外端縁に折り目を介して開閉天板を設け、当該開閉天板の三方の各端縁に折り目を介して前縁片及び左右縁片を夫々設け、上記底板の他方の相対向する各端縁に折り目を介して左右側板を夫々設け、当該左右側板の各外端縁に折り目を介して折り込み片を夫々設けた。
【０００７】
当該左右側板を各折り目により折り上げて上記底板の各端縁に夫々立設し、当該左右側板の各折り込み片を各折り目により上記底板側に夫々折り込み、上記後側板を折り目により折り上げて上記底板の端縁に立設し、上記開閉天板の三方の前縁片及び左右縁片を折り込んで当該開閉天板の三方に周縁壁を設け、上記前側板を折り目により折り上げて上記底板の端縁に立設し、当該前側板の内側天板を折り目により底板側に折り込んで上記左右側板の各折り込み片の上に載置し、上記後側板の開閉天板を折り目により上記内側天板の上に折り込み、当該内側天板の周縁に当該開閉天板の周縁壁を被せ、当該内側天板と開閉天板との間に備品収納スペースを設けた備品収納スペース付組立て紙箱とした。
【０００８】
請求項２の発明は、上記後側板の縦の長さを前側板及び左右側板の縦の長さより長く設けて内側天板と開閉天板との間に間隙を形成して備品収納スペースを設けた上記請求項１に記載の備品収納スペース付組立て紙箱とした。
【０００９】
請求項３の発明は、上記後側板の左右の各端縁に折り目を介して後側板の組立て時の縦の長さが同じ左右内側板を夫々設け、当該左右内側板の上部に上端縁に沿って折り目を設けて折り込み片を夫々形成し、上記底板の左右の各端縁に折り目を介して上記後側板と組立て時の縦の長さが同じである左右外側板を夫々設け、また、上記前側板の組立て時の縦の長さを上記左右内側板の折り込み片までの縦の長さと同じとし、上記左右内側板を各折り目により折り上げて上記後側板の両端縁に立設させ、当該後側板を折り目により折り上げて上記底板の後端縁に立設し、同時に、上記左右内側板を当該底板の左右の各端縁付近に立設させる。
【００１０】
また、上記左右外側板を各折り目により折り上げて上記底板の左右の各端縁に夫々立設して当該左右外側板を外側にして上記左右内側板と夫々重ね、上記左右内側板の各折り込み片を折り目により夫々底板側に略水平に折り込み、上記前側板を折り目により折り上げて上記底板の前端縁に立設し、当該前側板の内側天板を折り目により底板側に折り込んで上記左右内側板の各折り込み片の上に載置し、上記後側板の開閉天板を折り目により上記内側天板の上に折り込み、上記左右外側板の上部に当該開閉天板の周縁壁を被せ、当該内側天板と開閉天板との間に備品収納スペースを設けた上記請求項２に記載の備品収納スペース付組立て紙箱とした。
【００１１】
請求項４の発明は、上記内側天板に通気用の貫通孔を設けた上記請求項１又は２の何れかに記載の備品収納スペース付組立て紙箱とした。また、請求項５の発明は、上記内側天板の外端縁に折り目を介して折り返し板を設け、当該折り返し板を外側に折り込んだ当該内側天板を底板側へ折り込んで左右側板の各折り込み片の上に載せ、当該折り込んだ内側天板と開閉天板との間に間隙を形成して備品収納スペースを設けた上記請求項１、２又は３の何れかに記載の備品収納スペース付組立て紙箱とした。
【００１２】
請求項６の発明は、上記左右側板と各折り込み片の間の折り目から、当該各折り込み片上に略Ｕ字状の切り込みを入れて支持片を夫々設け、又は上記前側板と内側天板の間の折り目から当該内側天板上に略Ｕ字状の切り込みを入れて支持片を設けた。
【００１３】
上記各折り込み片を折り目により底板側に折り込んで上記支持片を折り込み片から立設させ、又は上記内側天板を折り目により底板側に折り込んで内側天板から支持片を立設させ、開閉天板を折り込んで内側天板上に被せた際、上記各支持片が当該開閉天板の内面に当接して開閉天板を支持し、上記備品収納スペースを保持する上記請求項２、３又は４の何れかに記載の備品収納スペース付組立て紙箱とした。
【００１４】
請求項７の発明は、上記開閉天板の前端縁、又は前縁片を係止する係止体を前側板に設け、当該係止体によって当該開閉天板を係止して上記備品収納スペースを保持する上記請求項２、３、４又は５の何れかに記載の備品収納スペース付組立て紙箱とした。
【発明の効果】
【００１５】
請求項１の発明によれば、前側板の外端縁に内側天板を設け、この内側天板を底板側に折り込んで開閉天板との間に備品を載置する備品収納スペースを設けたので、備品が入れ易く、また、当該備品収納スペースは、内側天板が、相対向する左右側板に設けた折り込み片によって支持されるので、強度的にも強いものである。また、備品として、保冷体を収納した際は、この保冷体が紙箱の上部に位置するので、効果的に紙箱内の温度上昇を押さえられるものである。この様に、備品収納スペースと紙箱内のケーキ等を収納するスペースが完全に区分けされているので、中に入れられたケーキ等に何の損傷も与えず、安心して持ち運びが出来るものである。
【００１６】
請求項２の発明によれば、上記後側板の組立て時の縦の長さを前側板及び左右側板の組立て時の縦の長さより長く設け、これにより、一定長の高さを有する空間を形成して備品収納スペースを確保したので、より安心してケーキ等の持ち運びが出来るものである。
【００１７】
請求項３の発明によれば、内側天板を左右内側板に設けた各折り込み片によって支持し、開閉天板の周縁壁を左右外側板の上部に被せ、この内側天板と開閉天板との間に備品収納スペースを設けたので、備品収納スペースを確実に形成することが出来、当該備品収納スペースに収納された備品が開閉天板によって下方へ押されることが無く、また、紙箱としての強度も増すものである。
【００１８】
また、請求項４の発明によれば、上記内側天板に通気用の貫通孔を設けたので、この備品収納スペースに保冷体を入れた場合、より効果的に箱内の温度上昇を防ぐことが出来る。
【００１９】
請求項５の発明によれば、上記内側天板の外端縁に折り目を介して折り返し板を設け、当該折り返し板を外側に折り込んだ当該内側天板を底板側へ折り込み、左右側板の各折り込み片上に載置し、当該折り返し板を折り込んだ内側天板上に備品を載置するので、上記折り返し板に押さえられて備品が無闇に移動することもなく、紙箱の内部を安定したものとすることが出来る。
【００２０】
請求項６の発明によれば、各折り込み片上に略Ｕ字状の支持片を立設させ、又は内側天板上に略Ｕ字状の支持片を立設させ、開閉天板を折り込んで内側天板上に被せた際、上記支持片によって当該開閉天板を支持することとしたので、備品収納スペースが確保され、当該備品収納スペースに収納された備品が開閉天板によって下方へ押されることが無く、また、紙箱としての強度も増すものである。
【００２１】
請求項７の発明によれば、上記開閉天板の前端縁、又は前縁片を係止する係止体を前側板に設け、当該係止体によって当該開閉天板を係止して備品収納スペースを保持することとしたので、備品収納スペースが確保され、当該備品収納スペースに収納された備品が開閉天板によって下方へ押されることが無く、また、無闇に開閉天板が開くことが無く、さらに、紙箱としての強度も増すものである。
【発明を実施するための最良の形態】
【００２２】
開閉天板、各側板及び各折り込み片を夫々の折り目により折り込んで形成した直方体形状の組立て紙箱において、当該紙箱の四角形状の底板の一方の相対向する各端縁の一端縁に折り目を介して前側板を設け、当該前側板の外端縁に折り目を介して内側天板を設け、上記底板の当該相対向する各端縁の他端縁に折り目を介して後側板を設け、当該後側板の外端縁に折り目を介して開閉天板を設け、当該開閉天板の三方の各端縁に折り目を介して前縁片及び左右縁片を夫々設け、上記底板の他方の相対向する各端縁に折り目を介して夫々左右側板を夫々設け、当該左右側板の各外端縁に折り目を介して折り込み片を夫々設ける。
【００２３】
当該左右側板を各折り目により折り上げて上記底板の各端縁に夫々立設し、当該左右側板の各折り込み片を各折り目により上記底板側に夫々折り込み、上記後側板を折り目により折り上げて上記底板の端縁に立設し、上記開閉天板の三方の前縁片及び左右縁片を折り込んで当該開閉天板の三方に周縁壁を設け、上記前側板を折り目により折り上げて上記底板の端縁に立設し、当該前側板の内側天板を折り目により底板側に折り込んで上記左右側板の各折り込み片の上に載置し、上記後側板の開閉天板を折り目により上記内側天板の上に折り込み、当該内側天板の周縁に当該開閉天板の周縁壁を被せ、当該内側天板と開閉天板との間に備品収納スペースを設ける。
【００２４】
これらにより、備品が入れ易い備品収納スペースを有し、強度的にも強い紙箱が得られる。また、この備品収納スペースに保冷体を収納した際は、効果的に紙箱内の温度上昇を防ぐことが出来る。
【実施例１】
【００２５】
以下、この発明の実施例１を図に基づいて説明する。
この発明の実施例１の組立て紙箱Ａ（以下、「紙箱Ａ」と言う。）は、図１及び図３に示すように、横長の直方体形状から成る。
【００２６】
図２に示すのは、この紙箱Ａの展開図であり、横長の長方形状の底板１の前端縁に折り目ａを介して前側板２を設け、この前側板２の前端縁に折り目ｂを介して内側天板３を設け、この内側天板３の前端縁に折り目ｃを介して細幅の折り込み後側片４を設けている。内側天板３には、その略中央に通気用の７個の円形状の貫通孔５を設けている。
【００２７】
また、底板１の左端縁に折り目ｄを介して左外側板６を設け、この左外側板６の左端縁に折り目ｅを介して細幅の折り込み左側片７を設け、左外側板６の前端縁に折り目ｆを介して折り込み板８を設けている。また、底板１の右端縁に折り目ｇを介して右外側板９を設け、この右外側板９の右端縁に折り目ｈを介して細幅の折り込み右側片１０を設け、右外側板９の前端縁に折り目ｉを介して折り込み板１１を設けている。
【００２８】
また、これらの左外側板６と右外側板９には、底板１の後端縁の折り目ｊの各端部から左外側板６及び右外側板９の外側角部に向けて対角線折り目ｋを夫々設けている。さらに、各折り目ｄ、ｇの前側の位置に一定長の切り込み１２、１３を設け、後述する左内側板、右内側板を立設した際、当該左内側板、右内側板の各突部を挿入し係止するようにしている。
【００２９】
底板１の後端縁に折り目ｊを介して後側板１４を設け、この後側板１４の後端縁に折り目ｌを介して開閉天板１５を設け、この開閉天板１５の後端縁に折り目ｍを介して細幅の天板前縁片１６を設けている。また、この天板前縁片１６の左右の各端縁に折り目ｎを介して略四角形状の折り込み舌片１７を夫々設け、開閉天板１５の左右の各端縁に折り目ｏ、ｐを介して天板左右縁片１８を夫々設けている。これらの天板左右縁片１８には、上記開閉天板１５の後端縁の折り目ｍの各端部からこれらの天板左右縁片１８の外側の端縁に向かって夫々傾斜折り目ｑを設け、さらに、当該各天板左右縁片１８の前端縁の外側の角を取って夫々アール状に丸く形成している。上記内側天板３は、この開閉天板１５と略同形同大に設けられている。
【００３０】
さらに、後側板１４の左右の各端縁に折り目ｒ、ｓを介して左内側板１９、右内側板２０を夫々設け、これらの左内側板１９、右内側板２０の前端縁の夫々外側の一部、突部１９ａ、２０ａを残して当該各前端縁を内側に一定長切り欠いている。また、底板１の後端縁の折り目ｊの中央部分に一定長の切り込み２１を設けている。
【００３１】
続いて、この紙箱Ａを組立て、保冷体を収納する。
この紙箱Ａを各折り目により各側板及び上記各折り込み片等を夫々内側に折り込んで底板１の周囲の各端縁に左内側板１９、右内側板２０、左外側板６、右外側板９、前側板２、後側板１４を立設する。そして、左外側板６を外側にして左内側板１９と、また、右外側板９を外側にして右内側板２０とを夫々重ね合わせて、左外側板６の内面の上部（図２において折り目ｋの上部の斜線で示す。）と左内側板１９の外面の上部（図２において点線斜線で示す。）、及び右外側板９の内面の上部（図２において折り目ｋの上部の斜線で示す。）と右内側板２０の外面の上部（図２において点線斜線で示す。）を貼着する。また、その際、左内側板１９の突部１９ａ及び右内側板２０の突部２０ａを夫々上記切り込み１２、１３に挿入係止する。また、左外側板６及び右外側板９の前端縁の折り込み板８、１１を夫々折り目ｆ、ｉにより、前側板２の内側に折り込んでおく。
【００３２】
さらに、上記天板前縁片１６及び天板左右縁片１８を夫々開閉天板１５側に折り込み、当該開閉天板１５の左右の各天板左右縁片１８を外側にして、上記天板前縁片１６の左右の各折り込み舌片１７を夫々重ね合わせ、各折り込み舌片１７の外面の上部（図２において点線斜線で示す。）と当該各天板左右縁片１８の内面の上部（図２において折り目ｑの上部の斜線で示す。）を夫々貼着する。これらを折り込んで、開閉天板１５の三方の端縁に周縁壁２３を形成する。
【００３３】
また、折り目ｅ、ｈにより夫々底板１側へ折り込んだ折り込み左側片７と折り込み右側片１０の上に、上記内側天板３を折り目ｂにより底板１側に折り込んで載置し、予め、底板１側に略直角に折り込んだ折り込み後側片４を、後側板１４と、折り込み左側片７と折り込み右側片１０の各後端縁の間に差し入れる。そして、図１に示すように、この内側天板１５の上に保冷体２２を載置し、上記開閉天板１５を折り目ｌにより上記保冷体２２の上から、この内側天板３の上に折り込み、当該内側天板３の周縁に当該開閉天板１５の周縁壁２３を被せる。この様にして、図４に示すように、開閉天板１５と内側天板３の間に備品収納スペース２４を形成し、当該個所に保冷体２２を収納して紙箱Ａは組立てられる。
【００３４】
また、この紙箱Ａを折り畳むには、上記左外側板６及び上記右外側板９の上記対角線折り目ｋを夫々内側に折り込んで底板１上に左外側板６、左内側板１９、右外側板９及び右内側板２０を夫々折り込む。この時、左内側板１９、右内側板２０の各突部１９ａ、２０ａは、底板１の折り目ｊの切り込み２１の中に挿入される。また、これにより、後側板１４及び開閉天板１５も、左内側板１９、右内側板２０に引っ張られて折り畳まれる（図示省略）。
【００３５】
さらに、上記開閉天板１５の左右の天板左右縁片１８の上記傾斜折り目ｑを夫々内側に折り込んで当該各天板左右縁片１８、及び上記天板前縁片１６の左右の各折り込み舌片１７を開閉天板１５上に折り込みながら、底板１の後端縁の折り目ｊにより上記後側板１４及び上記開閉天板１５を底板１上に扁平に折り畳む構成としている（図示省略）。
【００３６】
この様にして、この紙箱Ａは、店頭等において、上記各側板、各折り込み板及び各折り込み片を夫々の折り目により折り込んで、容易に、組立てられ、かつ容易に保冷体２２を収納することが出来る。
【実施例２】
【００３７】
次に、この発明の実施例２を図に基づいて説明する。
この発明の実施例２の紙箱Ｂは、図５に示すように、組立てた際の後側板２５の縦の長さを前側板２及び左右の側板の縦の長さより一定長長く設けている。これら以外の構成については、上記実施例１とほぼ同様の構成である。よって、上記実施例１と異なる構成について説明する。
【００３８】
図６は、この実施例２の紙箱Ｂの展開図であるが、この紙箱Ｂは、後側板２５の組立て時の縦の長さを前側板２の組立て時の縦の長さより全体的に一定長長く設け、これに伴い左内側板２６の右端縁の上部のみを長く設けて突出部２６ａを形成し、当該突出部２６ａ個所のみを後側板２５の縦の長さと同様のものとしている。また、同様に右内側板２７の左端縁の上部のみを長く設けて突出部２７ａを形成している。また、左外側板２８及び右外側板３０の図６における左右幅、また、前側板２の図６における前後幅を、上記左内側板２６及び右内側板２７の突出部２６ａ、２７ａ以外の、図６における前後幅と夫々同じにしている。また、左外側板２８の折り込み左側片２９の後端部の右側の角部を斜めに切り欠いており、同様に右外側板３０の折り込み右側片３１の後端部の左側の角部を斜めに切り欠いている。さらに、前側板２の中央部前側に湾曲した切り込み３２を設けている。
【００３９】
この紙箱Ｂを組立て、保冷体２２を収納する。
この紙箱Ｂを組立てる順序としては、上記実施例１と同様であるが、図７に示すように、左外側板２８の折り込み左側片２９と右外側板３０の折り込み右側片３１を各折り目ｅ、ｈにより底板１側に折り込んだ際、折り込み左側片２９の後端部の右側の角部を斜めに切り欠き、折り込み右側片３１の後端部の左側の角部を斜めに切り欠いているので、左内側板２６の突出部２６ａが突出し、右内側板２７の突出部２７ａが突出していても、これらの突出部２６ａ、２７ａが邪魔することなく、折り込み左側片２９及び折り込み右側片３１を底板１側へ折り込むことが出来る。
【００４０】
そして、これらの折り込み左側片２９及び折り込み右側片３１の上に、図５に示すように、内側天板３を折り目ｂにより折り込んで載置し、この内側天板３の上に保冷体２２を載置し、その上から開閉天板１５を被せ、開閉天板１５の天板前縁片１６の先端縁の中央部を前側板２の切り込み３２に入れる（図示省略）。
これにより、開閉天板１５と内側天板３の間に一定長の高さを有する空間が形成されるので、保冷体２２が下方へ押されることが無く、当該個所を安定した備品収納スペースとして使用することが出来る。また、天板前縁片１６の先端縁を切り込み３２に入れるので、開閉天板１５が当該個所で係止され、備品周納スペースが安定して保持される。また、無闇に開閉天板１５が開くことが無い。
【実施例３】
【００４１】
続いて、この発明の実施例３を図に基づいて説明する。
この発明の実施例３の紙箱Ｃは、図８及び図９に示すように、前側板３５から内側天板３７にかけて、この紙箱Ｃを組立てて形成した際、開閉天板１５を前側板３５に係止する係止板３６を設けている。また、内側天板３７の前端縁に板体を設け、さらに、前側板３５に支持片３９を設けている。これら以外の構成については、上記実施例２とほぼ同様の構成である。よって、上記実施例２と異なる構成について説明する。
【００４２】
図９は、この実施例３の紙箱Ｃの展開図であるが、この紙箱Ｃでは、前側板３５と内側天板３７との接続部の略中央部を、内側天板３７から底板１に向かって折り目ｂを越えて前側板３５に達する略Ｕ字状の切り込み４０を設け、この切り込み４０によって形成される部分によって係止板３６を形成している。この係止板３６は、切り込まれずに残った部分を折り目ｔにし、また、先端部近くにも折り目ｕを設けている。また、内側天板３７を実施例１の内側天板２より若干短く設け、この内側天板３７の前端縁に折り目ｃを介して折り返し板３８を設けている。
【００４３】
また、前側板３５と内側天板３７の間の折り目ｂの左側には、当該折り目ｂから内側天板３７上に略Ｕ字状に切り込みを入れて支持片３９を設け、また、この支持片３９の左側端縁は、当該折り目ｂから内側天板３７上に鉤型の切り込み４１を入れて、折り目ｂを折り込んだ際に形成される切り欠き部４１ａを設け、この折り目ｂの右側にも同様にして、支持片３９と切り込み４１（切り欠き部４１ａ）を形成している。さらに、左外側板６の折り込み板４２の左端縁の後端部の部位を若干左側に突出させて係止小片４２ａを設け、右外側板９の折り込み板４２にも、同様に、係止小片４２ａを設けている。
【００４４】
そして、この紙箱Ｃの組立ての際、底板１の各端縁に左外側板６及び右外側板９を立設させ、各折り込み板４２を底板１側へ折り込み、図１０に示すように、各折り込み板４２の係止小片４２ａを上方へ突出させている。この後、図８に示すように、前側板３５を折り目ａにより折り込んで底板１の端縁に立設し、内側天板３７を折り目ｂにより底板１側に折り込んだ際、形成された内側天板３７の左右の切り欠き部４１ａに、各係止小片４２ａは係止される。また、この時、内側天板３７の支持片３９は折り目ｂに折り込まれず当該内側天板３７から立設し、上方に突出している。
【００４５】
この後、内側天板３７上に、保冷体を載置する。この時、予め、折り目ｃにより外側（底板１と反対方向、以下、同じ）に折り込まれた折り返し板３８により、保冷体が係止されて紙箱内に落ちることが無く、さらに、無闇に移動することもない（図８では、保冷体２２の記載を省略している。）。
【００４６】
さらに、係止板３６を折り目ｔにより外側に開いて、開閉天板１５を折り目ｌにより内側天板３７上に被せると、開閉天板１５の前端内側面に上記立設している支持片３９が当り、また、上記折り返し板３８の先端が開閉天板１５の内面に当り、開閉天板１５が支持される。この後、係止板３６の先端部を折り目ｕにより略直角に折り込んで、外側から開閉天板１５の折り目ｍの中央部に設けた切り込み４４に差し入れる。これにより、開閉天板１５が無闇に開くことがない（図示省略）。
【００４７】
また、係止小片４２ａが切り欠き部４１ａに一旦係止されると、開閉天板１５を開いても、前側板３７は開かず、紙箱Ｃとしての強度も強い。さらに、上記折り返し板３８と支持片３９によって、開閉天板１５を支持するので、備品収納スペースに収納された保冷体２２が開閉天板１５によって下方へ押されることが無く、また、紙箱Ｃとしての強度も増すものである。
【実施例４】
【００４８】
さらに、この発明の実施例４を図に基づいて説明する。
この発明の実施例４の紙箱Ｄは、図１１及び図１２に示すように、開閉天板１５を支持する支持片を設けたものであるが、上記実施例３の紙箱Ｃとは、支持片を設けた個所が異なる。これら以外の構成については、上記紙箱Ｃとほぼ同様の構成である。よって、上記紙箱Ｃと異なる構成について説明する。
【００４９】
図１２は、この紙箱の展開図であるが、この紙箱Ｄでは、左外側板４５と折り込み左側片４６の間の折り目ｅの前側に、当該折り目ｅから折り込み左側片４６上に略Ｕ字状に切り込みを入れて支持片４７を設け、同様に右外側板４８と折り込み右側片４９にも支持片５０を設けている。また、この紙箱Ｄでは、内側天板３に折り返し板は設けていない。
【００５０】
そして、この紙箱Ｄの組立ての際、底板１の各端縁に左外側板４５及び右外側板４８を立設させ、折り込み左側片４６と折り込み右側片４９を各折り目ｅ、ｈにより底板１側へ折り込み、図１３に示すように、折り込み左側片４６と折り込み右側片４９の各支持片４７、５０を当該折り込み左側片４６と折り込み右側片４９から立設させる。そして、前側板２を折り目ａを介して底板１の前端縁に立設し、内側天板３を、各支持片４７、５０の間であって、各折り込み左側片４６と折り込み右側片４９上に折り目ｂにより折り込む。この時、各支持片４７、５０は内側天板３より上方に突出している。
【００５１】
さらに、開閉天板１５を折り目ｌにより内側天板３上に被せた際、上記立設している支持片４７、５０によって、開閉天板１５が支持され、備品収納スペースに収納された保冷体２２が開閉天板１５を閉めることによって下方へ押されることが無く、また、紙箱Ｄとしての強度も増すものである。
【実施例５】
【００５２】
さらに、この発明の実施例５を図に基づいて説明する。
この発明の実施例５の紙箱Ｅは、上記後側板の左右の各端縁に折り目を介して設けた左右内側板の上部に折り込み片を夫々形成し、上記底板の左右の各端縁に上記後側板と縦の長さを同じに設けた左右外側板を夫々設けており、前側板の縦の長さはこれらより短いものとなっている。これら以外の構成については、上記実施例４とほぼ同様の構成である。よって、上記実施例４と異なる構成について説明する。
【００５３】
図１４は、この実施例５の紙箱Ｅの展開図であるが、この紙箱Ｅでは、上記後側板５２の左右の各端縁に折り目ア、イを介して後側板５２と組立て時の縦の長さが同じ左右内側板５３、５４を設け、これらの左右内側板５３、５４の上部に上端縁に沿って折り目ウ、エを設け、これらの折り目ウ、エの後側板５２側の各一定長は、夫々上向きに傾斜した切り込みとして折り込み片５３ａ、５４ａを夫々形成し、後述する当該折り込み片５３ａ、５４ａを折り込む際、折り込み易くしている。また、底板５１の左右の各端縁に折り目オ、カを介して上記後側板５２と組立て時の縦の長さが同じである左右外側板５５、５６を夫々設けている。これらの左右外側板５５、５６の左右端には、折り込み左側片及び折り込み右側片は設けておらず、また、左右外側板５５、５６側に支持片は設けていない。
【００５４】
そして、この紙箱Ｅの組立ての際、上記左右内側板５３、５４を各折り目ア、イにより折り上げて上記後側板５２の両端縁に立設させ、この後側板５２を折り目キにより折り上げて底板５１の後端縁に立設し、これと同時に、上記左右内側板５３、５４をこの底板５１の左右の各端縁付近に立設させる。また、上記左右外側板５５、５６を各折り目オ、カにより折り上げて上記底板５１の左右の各端縁に夫々立設して当該左右外側板５５、５６を外側にして上記左右内側板５３、５４と夫々重ねて貼着する。
【００５５】
さらに、図１５に示すように（図１５では左側のみ示す）、上記左右内側板５３、５４の各折り込み片５３ａ、５４ａを折り目ウ、エにより夫々底板５１側に略水平に折り込む。これにより、左右内側板５３、５４の上縁は左右外側板５５、５６の上縁より低くなる。そこで、上記前側板５７を折り目クにより折り上げて上記底板５１の前端縁に立設し、図１６に示すように、この前側板５７の内側天板５８を折り目ケにより底板５１側に折り込んで上記左右内側板５３、５４の各折り込み片５３ａ、５４ａの上に載置する。これにより、内側天板５８は左右内側板５３、５４の各折り込み片５３ａ、５４ａによって支持される。また、この時、上記実施例３と同様に、内側天板５８を折り込んだことにより、内側天板５８と前側板５７との間にある、折り目ケの左右に設けた略Ｕ字状の支持片５９が立設し、折り目ケの中央に設けた係止片６０が立設する。
【００５６】
この後、内側天板５８上に、保冷体２２を載置する。この時、立設した支持片５９により、保冷体２２が係止されて紙箱Ｅ外に落ちることが無い（図１６では、保冷体２２の記載を省略）。そして、係止片６０を折り目コにより外側に開いた後、上記後側板５２の開閉天板６１を折り目サにより上記内側天板５８の上に折り込んで、上記左右外側板５５、５６の上部、及び上記折り目ケの左右の支持片５９に、開閉天板６１の周縁壁６２を被せる。
【００５７】
この時、被せられた開閉天板６１の左右の内側では、左右外側板５５、５６の上部が当り、また、開閉天板６１の前端内側面に立設している支持片５９が当り、支持される。この後、係止板６０の、折り目シにより略直角に折り込まれた先端部６０ａを外側から開閉天板６１の折り目スの中央部に設けた切り込み６３に差し入れる。これにより、開閉天板６１が無闇に開くことがない。この様にして、当該内側天板５８と開閉天板６１との間に備品収納スペースを設ける。
【００５８】
これにより、開閉天板６１と内側天板５８の間に一定長の高さを有する空間が確保されるので、保冷体２２が下方へ押されることが無く、当該個所を安定した備品収納スペースとして使用することが出来る。
【００５９】
なお、上記実施例１において、組み立て、折り畳み自在な紙箱Ａの構成として、左右外側板６、９、対角線折り目ｋ、切り込み１２、１３、２１、左右内側板１９、２０、折り込み板８、天板前縁片１６、折り込み舌片１７、傾斜折り目ｑ、側板を貼着すること等を記載しているが、組み立て、折り畳み自在な紙箱の構成としては、これに限るものではなく、組み立て、折り畳み自在な紙箱であれば、他の構成のものでもよい。また折り込み後側片４を設け、組立ての際、後側板１４と、折り込み左側片７と折り込み右側片１０の各後端縁の間に差し入れているが、この折り込み後側片４は設けなくても良い。
【００６０】
また、紙箱Ａの開閉天板１５の周縁壁２３の構成として、天板前縁片１６、折り込み舌片１７、天板左右縁片１８を設け、これらのものから形成する周縁壁２３を記載しているが、開閉天板１５の周縁壁２３としては、これに限るものではなく、開閉天板１５の周縁壁が形成される構成のものであれば良い。また、備品収納スペース２４に収納するものとして、保冷体２２を使用したが、保冷体２２の他、ローソク、ナプキン等の備品を収納することが出来る。また、内側天板３に通気用の貫通孔５として、円形状のものを７個形成したが、貫通孔５の形状や個数は、適宜、必要な形状及び数量を設ければよく、もちろん、なくとも良い。
【００６１】
さらに、上記実施例２において、後側板２５の組立て時の縦の長さを前側板２等の組立て時の縦の長さより長く設け、左右内側板２６、２７に突出部２６ａ、２７ａを設け、折り込み左右側片２９、３１の後端縁を切り欠いているが、後側板２５の縦の長さを長く設けるための構成としては、これに限るものではなく、突出部２６ａ、２７ａは無くてもよい。また、前側板２に切り込み３２を設け、開閉天板１５の天板前縁片１６の先端縁の中央部を入れて、当該開閉天板１５を前側板２に係止する係止体としているが、係止体の構成はこれに限るものではなく、また、切り込み３２はなくても良い。
【００６２】
また、上記実施例３において、前側板３５と内側天板３７に略Ｕ字状の切り込み４０を入れて、開閉天板１５を前側板３５に係止する係止板３６を形成しているが、係止板３６の形状や設け方としては、これに限らず、開閉天板１５を前側板３５に係止出来るものであればよい。また、内側天板３７を実施例１の内側天板３より若干短く設け、この内側天板３７の前端縁に折り目ｃを介して折り返し板３８を設けているが、必ずしも、内側天板３７を短く設け、折り返し板３８を設ける必要はない。
【００６３】
さらに、実施例３では、支持片３９、係止板３６、係止小片４２ａ及び切り欠き部４１を設けているが、これらを全て設ける必要は無く、幾つかの構成を選択して設けてもよく、また、全く設けなくてもよい。また、上記実施例４においては、支持片４７，５０を設けているが、これらと上記実施例３の構成と組み合わせて設けてもよいし、また、設けなくてもよい。また、実施例５において、支持片５９はなくてもよく、左右内側板５３、５４の上部に上端縁に沿って設けた折り込み片５３ａ、５４ａは、当該左右内側板５３、５４の上部の全幅に設ける必要はなく、一部に設けるようにしてもよい。
【図面の簡単な説明】
【００６４】
【図１】この発明の実施例１の紙箱の内側天板の上に保冷体を載置し、開閉天板を開けた状態の斜視図である。
【図２】この発明の実施例１の紙箱の展開図である。
【図３】この発明の実施例１の紙箱の組立て途中の状態の斜視図である。
【図４】この発明の実施例１の、備品収納スペースに保冷体を収納した紙箱の縦断面図である。
【図５】この発明の実施例２の紙箱の内側天板の上に保冷体を載置し、開閉天板を開けた状態の斜視図である。
【図６】この発明の実施例２の紙箱の展開図である。
【図７】この発明の実施例２の紙箱の組立て途中の状態の一部斜視図である。
【図８】この発明の実施例３の紙箱の開閉天板を開けた状態の斜視図である。
【図９】この発明の実施例３の紙箱の展開図である。
【図１０】この発明の実施例３の紙箱の組立て途中の状態の一部斜視図である。
【図１１】この発明の実施例４の紙箱の開閉天板を開けた状態の斜視図である。
【図１２】この発明の実施例４の紙箱の展開図である。
【図１３】この発明の実施例４の紙箱の組立て途中の状態の一部斜視図である。
【図１４】この発明の実施例５の紙箱の展開図である。
【図１５】この発明の実施例５の紙箱の組立て途中の状態の一部斜視図である。
【図１６】この発明の実施例５の紙箱の組立て途中の状態の斜視図である。
【符号の説明】
【００６５】
Ａ    紙箱                              Ｂ    紙箱
Ｃ    紙箱                              Ｄ    紙箱
Ｅ    紙箱
１    底板                              ２    前側板
３    内側天板                          ５    貫通孔
６    左外側板                          ７    折り込み左側片
９    右外側板                        １０    折り込み右側片
１４    後側板                          １５    開閉天板
１６    天板前縁片                      １８    天板左右縁片
１９    左内側板                        ２０    右内側板
２２    保冷体                          ２３    周縁壁
２４    備品収納スペース                ３２    切り込み
３６    係止板                          ３８    折り返し板
３９    支持片                          ４７    支持片
５３    左内側板                        ５３ａ  折り込み片
５４    右内側板                        ５４ａ  折り込み片
５５    左外側板                        ５６    右外側板
【図１】
2007186218.tif 000003
【図２】
2007186218.tif 000004
【図３】
2007186218.tif 000005
【図４】
2007186218.tif 000006
【図５】
2007186218.tif 000007
【図６】
2007186218.tif 000008
【図７】
2007186218.tif 000009
【図８】
2007186218.tif 000010
【図９】
2007186218.tif 000011
【図１０】
2007186218.tif 000012
【図１１】
2007186218.tif 000013
【図１２】
2007186218.tif 000014
【図１３】
2007186218.tif 000015
【図１４】
2007186218.tif 000016
【図１５】
2007186218.tif 000017
【図１６】
2007186218.tif 000018